【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
マルチレイヤビデオデータを処理する方法であって、
ファイル中に存在するメディアストリームのためのメタデータを含むムービーボックスを備える前記ファイルを生成することを備え、前記ファイルを生成することは、
前記マルチレイヤビデオデータのビットストリームの少なくとも１つのアクセスユニットが、第１の値に等しいピクチャ出力フラグを有するコーディングされたピクチャと第２の値に等しいピクチャ出力フラグを有するコーディングされたピクチャとを含むという決定に応答して、前記ファイルに前記ビットストリームを記憶するために、少なくとも第１のトラックと第２のトラックとを使用することと、
前記第１のトラックおよび第２のトラックからの各それぞれのトラックについて、前記それぞれのトラックの各サンプル中のすべてのコーディングされたピクチャは、同じ値の前記ピクチャ出力フラグを有し、
前記第１の値に等しいピクチャ出力フラグを有するピクチャは、出力されることを許可され、前記第２の値に等しいピクチャ出力フラグを有するピクチャは、参照ピクチャとして使用されることを許可されるが出力されることを許可されず、
前記ファイルの各それぞれのトラックについて、前記ムービーボックスにそれぞれのトラックボックスを含めることと、前記それぞれのトラックボックスは、前記それぞれのトラックのためのメタデータを含み、前記ファイル中に存在する前記メディアストリームの各々は、前記ファイルのそれぞれのトラックとして前記ファイルにおいて表され、前記それぞれのトラックについての前記メディアストリームは、それぞれのサンプルのシーケンスを備え、前記それぞれのサンプルのシーケンスは、前記マルチレイヤビデオデータのアクセスユニットを含み、前記それぞれのトラックについての前記メディアストリームは、前記ファイルのメディアデータボックス内に含まれる、
を備える、
方法。
【請求項２】
前記ファイルを生成することは、
前記ビットストリームのアクセスユニットが、前記第１の値に等しいピクチャ出力フラグを有するコーディングされたピクチャと前記第２の値に等しいピクチャ出力フラグを有するコーディングされたピクチャとを含まないという決定に応答して、前記ファイルに前記ビットストリームを記憶するために、単一のトラックを使用することを備える、請求項１に記載の方法。
【請求項３】
マルチレイヤビデオデータを処理する方法であって、
ファイルから、第１のトラックボックスと第２のトラックボックスとを取得することを備え、前記第１のトラックボックスおよび前記第２のトラックボックスは、前記ファイル中に存在するメディアストリームのためのメタデータを含むムービーボックス中にあり、
前記ファイルの各それぞれのトラックについて、前記ファイル中に存在する前記メディアストリームの各々は、前記ファイルのそれぞれのトラックとして前記ファイルにおいて表され、前記それぞれのトラックについての前記メディアストリームは、それぞれのサンプルのシーケンスを備え、前記それぞれのサンプルのシーケンスは、前記マルチレイヤビデオデータのアクセスユニットを含み、前記それぞれのトラックについての前記メディアストリームは、前記ファイルのメディアデータボックスに含まれ、
前記第１のトラックボックスは、前記ファイル中の第１のトラックのためのメタデータを含み、前記第２のトラックボックスは、前記ファイル中の第２のトラックのためのメタデータを含み、
前記第１のトラックおよび前記第２のトラックからの各それぞれのトラックについて、前記それぞれのトラックの各サンプル中のすべてのコーディングされたピクチャは、同じ値のピクチャ出力フラグを有し、
第１の値に等しいピクチャ出力フラグを有するピクチャは、出力されることを許可され、第２の値に等しいピクチャ出力フラグを有するピクチャは、参照ピクチャとして使用されることを許可されるが出力されることを許可されない、
方法。
【請求項４】
前記マルチレイヤビデオデータは、スケーラブル高効率ビデオコーディング（ＳＨＶＣ）データ、マルチビュー高効率ビデオコーディング（ＭＶ−ＨＥＶＣ）データ、および３次元高効率ビデオコーディング（３Ｄ−ＨＥＶＣ）データであり、
前記マルチレイヤビデオデータは、高効率ビデオコーディング（ＨＥＶＣ）ベースレイヤを含む、
請求項１または請求項３に記載の方法。
【請求項５】
前記第１の値は１に等しく、前記第２の値は０に等しい、請求項１または請求項３に記載の方法。
【請求項６】
前記第１のトラックおよび第２のトラックからの各それぞれのトラックについて、
前記それぞれのトラックの各サンプル中の前記コーディングされたピクチャを復号することと、
前記第１の値に等しいピクチャ出力フラグを有する前記復号されたピクチャを出力することと、
をさらに備える、請求項３に記載の方法。
【請求項７】
マルチレイヤビデオデータを処理するためのビデオデバイスであって、
マルチレイヤビデオデータを記憶するように構成されるデータ記憶媒体と、
１つまたは複数のプロセッサと、を備え、前記１つまたは複数のプロセッサは、
ファイル中に存在するメディアストリームのためのメタデータを含むムービーボックスを備える前記ファイルを生成するように構成され、前記ファイルを生成するために、前記１つまたは複数のプロセッサは、
前記マルチレイヤビデオデータのビットストリームの少なくとも１つのアクセスユニットが、第１の値に等しいピクチャ出力フラグを有するコーディングされたピクチャと第２の値に等しいピクチャ出力フラグを有するコーディングされたピクチャとを含むという決定に応答して、前記ファイルに前記ビットストリームを記憶するために、少なくとも第１のトラックと第２のトラックとを使用し、
前記第１のトラックおよび第２のトラックからの各それぞれのトラックについて、前記それぞれのトラックの各サンプル中のすべてのコーディングされたピクチャは、同じ値の前記ピクチャ出力フラグを有し、
前記第１の値に等しいピクチャ出力フラグを有するピクチャは、出力されることを許可され、前記第２の値に等しいピクチャ出力フラグを有するピクチャは、参照ピクチャとして使用されることを許可されるが出力されることを許可されず、
前記ファイルの各それぞれのトラックについて、前記ムービーボックスにそれぞれのトラックボックスを含めるように構成され、前記それぞれのトラックボックスは、前記それぞれのトラックのためのメタデータを含み、前記ファイル中に存在する前記メディアストリームの各々は、前記ファイルのそれぞれのトラックとして前記ファイルにおいて表され、前記それぞれのトラックについての前記メディアストリームは、それぞれのサンプルのシーケンスを備え、前記それぞれのサンプルのシーケンスは、前記マルチレイヤビデオデータのアクセスユニットを含み、前記それぞれのトラックについての前記メディアストリームは、前記ファイルのメディアデータボックス内に含まれる、
ビデオデバイス。
【請求項８】
前記ファイルを生成するために、前記１つまたは複数のプロセッサは、
前記ビットストリームのアクセスユニットが、前記第１の値に等しいピクチャ出力フラグを有するコーディングされたピクチャと前記第２の値に等しいピクチャ出力フラグを有するコーディングされたピクチャとを含まないという決定に応答して、前記ファイルに前記ビットストリームを記憶するために、単一のトラックを使用するように構成される、請求項７に記載のビデオデバイス。
【請求項９】
前記１つまたは複数のプロセッサは、前記マルチレイヤビデオデータを符号化するように構成される、請求項７に記載のビデオデバイス。
【請求項１０】
マルチレイヤビデオデータを処理するためのビデオデバイスであって、
マルチレイヤビデオデータを記憶するように構成されるデータ記憶媒体と、
１つまたは複数のプロセッサと、を備え、前記１つまたは複数のプロセッサは、
ファイルから、第１のトラックボックスと第２のトラックボックスとを取得するように構成され、前記第１のトラックボックスおよび前記第２のトラックボックスは、前記ファイル中に存在するメディアストリームのためのメタデータを含むムービーボックス中にあり、
前記ファイルの各それぞれのトラックについて、前記ファイル中に存在する前記メディアストリームの各々は、前記ファイルのそれぞれのトラックとして前記ファイルにおいて表され、前記それぞれのトラックについての前記メディアストリームは、それぞれのサンプルのシーケンスを備え、前記それぞれのサンプルのシーケンスは、前記マルチレイヤビデオデータのアクセスユニットを含み、前記それぞれのトラックについての前記メディアストリームは、前記ファイルのメディアデータボックスに含まれ、
前記第１のトラックボックスは、前記ファイル中の第１のトラックのためのメタデータを含み、前記第２のトラックボックスは、前記ファイル中の第２のトラックのためのメタデータを含み、
前記第１のトラックおよび前記第２のトラックからの各それぞれのトラックについて、前記それぞれのトラックの各サンプル中のすべてのコーディングされたピクチャは、同じ値のピクチャ出力フラグを有し、
第１の値に等しいピクチャ出力フラグを有するピクチャは、出力されることを許可され、第２の値に等しいピクチャ出力フラグを有するピクチャは、参照ピクチャとして使用されることを許可されるが出力されることを許可されない、
ビデオデバイス。
【請求項１１】
前記１つまたは複数のプロセッサは、
前記第１のトラックおよび第２のトラックからの各それぞれのトラックについて、前記それぞれのトラックの各サンプル中の前記コーディングされたピクチャを復号し、前記第１の値に等しいピクチャ出力フラグを有する前記復号されたピクチャを出力するように構成される、請求項１０に記載のビデオデバイス。
【請求項１２】
前記マルチレイヤビデオデータは、スケーラブル高効率ビデオコーディング（ＳＨＶＣ）データ、マルチビュー高効率ビデオコーディング（ＭＶ−ＨＥＶＣ）データ、および３次元高効率ビデオコーディング（３Ｄ−ＨＥＶＣ）データのうちの１つであり、
前記マルチレイヤビデオデータは、高効率ビデオコーディング（ＨＥＶＣ）ベースレイヤを含む、
請求項７または請求項１０に記載のビデオデバイス。
【請求項１３】
前記第１の値は１に等しく、前記第２の値は０に等しい、請求項７または請求項１０に記載のビデオデバイス。
【請求項１４】
前記ビデオデバイスは、
集積回路、
マイクロプロセッサ、または、
ワイヤレス通信デバイス
のうちの少なくとも１つを備える、
請求項７または請求項１０に記載のビデオデバイス。
【請求項１５】
実行されると、１つまたは複数のプロセッサに、請求項１〜請求項６のうちのいずれか一項に記載の方法を実行させる命令を記憶した、コンピュータ可読データ記憶媒体。